(57)【要約】      （修正有）【課題】個別的に壁面に付着させて額縁として使用し、或いはボックスまたはバインダーに多重に集約してアルバムとして使用することにより、写真を簡便に収納保管するとともに、写真の変色または損傷を最小限に抑え、使用上の効率性を高めた写真保管用紙袋を提供する。【解決手段】対向する同一形状の前面紙１０、後面紙２０の一側の境界線３０を折り畳み線として折り畳み、他側端３１、３１’および下側端３２、３２’を相互接着することにより設けられ、写真を挿入収納する収納空間部３５と、後面紙２０の上端に設けられた把持溝部２５と、前面紙１０の中央に収納された写真が見えるように設けられた写真窓１５とを有し、紙袋１００から構成される写真保管用紙袋を提供する。【選択図】図２
0003136354.tif 000002
【実用新案登録請求の範囲】
【請求項１】
写真を保管する紙袋において、
対向する前面紙（１０）、後面紙（２０）を一側の境界線（３０）を折り畳み線として折り畳み、他側端（３１、３１’）および下側端（３２、３２’）を相互接着することにより設けられ、上部の開口部（３４）から写真を挿入収納する収納空間部（３５）と、
前記後面紙（２０）の上端に、内部の写真を把持し得るように切欠形成された把持溝部（２５）と、
前記前面紙（１０）の中央に収納された写真が見えるように設けられた写真窓（１５）とを有する、紙袋（１００）から構成されることを特徴とする、写真保管用紙袋。
【請求項２】
前記写真を収納保管する紙袋（１００）は、蓋（２１０）を開閉し得るボックス（２００）に多重に集約保管できるように構成されてなることを特徴とする、請求項１に記載の写真保管用紙袋。
【請求項３】
前記写真を収納保管する紙袋（１００）は、一側面部に沿ってバインダー綴孔（３１０）を穿孔し、開閉分離可能なバインダー（３００）に多重に集約保管できるように構成されてなることを特徴とする、請求項１に記載の写真保管用紙袋。
【考案の詳細な説明】
【技術分野】
【０００１】
本考案は、写真保管用紙袋に係り、さらに詳しくは、内部空間に一枚の写真を挿入して個別的保管および額縁としての兼用ができるうえ、ボックスまたはバインダーに集約保管することが可能な写真保管用紙袋に関する。
【背景技術】
【０００２】
一般に、写真を保管するための手段として、従来ではアルバムまたは額縁を主に使用した。アルバムまたは額縁の場合は、それぞれの特徴が区別され、互いに兼用できない限界があった。
【０００３】
言い換えれば、アルバムは、多くの写真を保管することはできるが、写真の個別的保管および展示機能がなく、額縁は、個別的保管および展示機能はあるが、多くの写真を集約保管することができない。
【０００４】
さらに、アルバムは、多くの写真を厚い袋に貼着または挿入して累々と保管するため、写真が変色または損傷するおそれが高く、額縁は、価格が高くて多数個備えることは困難であるうえ、携帯が不便である。
【０００５】
このような理由により、本出願人は、写真台紙を先出願して実用新案登録（韓国登録実用新案第２６１５１３号明細書）を取得したが、これは、台紙の前後を貫通する写真窓を入れ、この写真窓に写真を別途の接着手段、例えばテープなどによって貼着したものであった。
【０００６】
この種の写真台紙は、写真を個別的に貼着するため、壁面などに付着させて額縁として使用するのは勿論、多数の写真台紙を蓋付きボックスに入れて集約保管することによりアルバムとして使用することができる。
【考案の開示】
【考案が解決しようとする課題】
【０００７】
しかしながら、前述した本出願人によって登録された写真台紙は、写真を外部に露出されるように保管するうえ、写真を接着手段によって貼着して構成するので、写真が損傷するおそれがあり、且つ写真を別途の接着方法によって台紙に一々貼着して保管するので、保管作業が不便であるという欠点があった。
【０００８】
そこで、本考案の目的は、上述した従来の技術および本出願人によって先出願登録された技術の諸般問題点を根本的に解決することにある。
【０００９】
また、本考案の別の目的は、写真を紙袋に挿入して保管することにより、保管作業が簡便であるうえ、写真の損傷を防止することが可能な写真保管用紙袋を提供することにある。
【００１０】
本考案の更に別の目的は、写真入りの袋を、壁面に付着する額縁として使用するのは勿論、蓋付きボックスまたはバインダーなどに多数集約構成してアルバムとしても使用する多様性により、使用上の効率性を極大化した、写真保管用紙袋を提供することにある。
【００１１】
本考案の更に別の目的は、紙袋をボックスまたはバインダーなどに集約構成することにより、写真の変色または損傷を最小化した写真保管用紙袋を提供することにある。
【課題を解決するための手段】
【００１２】
上記目的を達成するために、本考案の写真保管用紙袋は、対向する同一形状の前、後面紙を一側の境界線を折り畳み線として折り畳み、他側端および下側端を相互接着することにより設けられ、写真を挿入収納する収納空間部と、前記後面紙の上端に設けられた把持溝部と、前記前面紙の中央に収納された写真が見えるように設けられた写真窓とを有する、紙袋から構成する。
【００１３】
この際、前記紙袋を、個別的に壁面に付着させて額縁として使用し、或いはボックスまたはバインダーに多重に集約保管してアルバムとして使用するように構成する。
【考案の効果】
【００１４】
上述したように、本考案の写真保管用紙袋は、内部に収納空間部を有する形で写真を簡便に挿入収納して保管するので、保管作業が簡便であり、写真の変色または損傷を最小化するうえ、壁面に付着する額縁として使用し或いは蓋付きボックスまたはバインダーなどに多数集約構成してアルバムとして使用する多様性によって使用上の効率性を極大化するという効果を持つ。
【考案を実施するための最良の形態】
【００１５】
以下に添付図面を参照しながら、本考案の好適な実施の形態について詳細に説明する。
【００１６】
本考案の写真保管用紙袋は、図１〜図３に示す通りである。
本考案の写真保管用紙袋は、対向する同一形状の前面紙１０、後面紙２０を一側の境界線３０を折り畳み線として折り畳み、他側端３１、３１’および下側端３２、３２’を相互接着することにより設けられ、上部の開口部３４から写真を挿入して収納する収納空間部３５と、前記後面紙２０の上端に、内部の写真を把持し得るように切欠形成された把持溝部２５と、前記前面紙１０の中央に収納された写真が見えるように設けられた写真窓１５とを有する、紙袋１００から構成される。
【００１７】
この際、前記紙袋１００および前記紙袋の写真窓１５の形状は、四角形をしているが、円形などの様々な形状にしてもよい。
【００１８】
前記紙袋１００の前面部１０における写真窓１５の周辺の余白部分１６は、各種記録のためのメモ用紙として用いられる。
【００１９】
このような本考案の紙袋は、図３に示すように、写真を個別的且つ簡便に挿入して保管することにその特徴がある。
【００２０】
これをより具体的に説明すると、前記紙袋１００の開口部３４から写真５を収納空間部３５に挿入して収納する。
【００２１】
この際、前記写真５の前面が写真窓１５を介して外部から見られるように挿入される。
前記紙袋１００の前面紙１０には、周辺の余白部分１６を用いて、写真に関する各種記録を記載する。
【００２２】
このように写真５が個別的に収納保管された紙袋１００は、これを個別的に携帯、保管し、或いは壁面に簡便に付着させて額縁として使用することができる。
【００２３】
前記紙袋１００から写真５を取り出そうとするときには、後面紙２０の把持溝部２５を介して写真を把持するので、前記紙袋の収納空間部３５から写真を簡便に取り出すことができる。
【００２４】
一方、前述した本考案の写真保管用紙袋１００は、図４および図５に示すように、様々に集約保管することができるように構成する。
【００２５】
すなわち、図４では、前記内部に写真をそれぞれ収納保管する紙袋１００を、蓋２１０を開閉することが可能なボックス２００に多重に集約保管できるように構成する。
【００２６】
これは、前記紙袋１００をボックス２００に集約保管してアルバムとして使用しながら写真の損傷を防止することが可能であるのは勿論、必要の際に前記紙袋１００を個別的にボックスから取り出して独立的な携帯、保管および額縁としての使用が可能である。
【００２７】
図５では、前記紙袋１００の一側、特に前、後面紙１０、２０が相互接着された側面に沿ってバインダー綴孔３１０を穿孔し、開閉分離可能なバインダー３００に多重に集約保管できるように構成する。
【００２８】
これは、前記紙袋１００をバインダー３００に集約保管してアルバムとして使用しながら写真の損傷を防止することが可能であるのは勿論、必要の際に前記紙袋１００を個別的にバインダー３００から取り出して独立的な携帯、保管および額縁としての使用が可能である。
【００２９】
特に、前記紙袋１００をバインダー３００に綴り込む場合には、ボックス２００に集約構成した場合に比べ、各紙袋１００を捲りながら便利に紙袋の写真を見ることができる。
【００３０】
一方、前述した本考案の紙袋１００は、前記ボックスまたはバインダー以外のその他の方法で集約保管してアルバムとして使用することができる。このように本考案の紙袋を用いた集約保管も、本考案の権利範囲に属する。
【００３１】
また、前述した本考案の紙袋１００は、内部に収納保管される写真５の損傷を防止するために、通気性に優れた紙材を使用することが好ましいが、前記紙以外に、通気性を持つその他の材質、例えばビニルシートなども使用することができる。このような単純材質の変更程度も、本考案の権利範囲に属する。
【図面の簡単な説明】
【００３２】
【図１】本考案の紙袋を示す斜視図である。
【図２】本考案の紙袋を折り畳みおよび接合によって製造する過程を示す正面図である。
【図３】本考案の紙袋に写真を保管する過程を示す正面図である。
【図４】本考案の紙袋をボックスに保管する使用例を示す斜視図である。
【図５】本考案の紙袋をバインダーに保管する使用例を示す正面図である。
【符号の説明】
【００３３】
１０    前面紙
１５    写真窓
２０    後面紙
２５    把持溝
３０    境界線
３５    収納空間部
１００    紙袋
２００    ボックス
３００    バインダー
【図１】
0003136354.tif 000003
【図２】
0003136354.tif 000004
【図３】
0003136354.tif 000005
【図４】
0003136354.tif 000006
【図５】
0003136354.tif 000007